(57)【要約】 【構成】  ぬいぐるみ本体と前記ぬいぐるみ本体に着せたミニチュア制服とを備え、前記ミニチュア制服は、本物の制服と同じ生地から成り、本物の制服のボタン、ライン、プリーツ等の特徴も忠実に再現された卒業記念ぬいぐるみにおいて、前記ミニチュア制服の寸法比を前記ぬいぐるみ本体の体格の寸法比に合わせた卒業記念ぬいぐるみである。【効果】体格の寸法比の異なる様々なぬいぐるみ本体に、リアリティあるミニチュア制服を違和感なく着せることができる。学生時代の思い出として、長年慣れ親しんだ制服を、従来よりもよりリアリティな状態で手軽に飾ることができ、従来よりも優れた卒業記念品として提供することができる。【選択図】      図１
2012080924.tif 000002
【特許請求の範囲】
【請求項１】
ぬいぐるみ本体と、前記ぬいぐるみ本体に着せたミニチュア制服とを備え、前記ミニチュア制服は、本物の制服と同じ生地から成り、本物の制服のボタン、ラ
イン、プリーツ等の特徴も忠実に再現された卒業記念ぬいぐるみにおいて、前記ミニチュア制服の寸法比を前記ぬいぐるみ本体の体格の寸法比に合わせたことを特徴とする卒業記念ぬいぐるみ。
【請求項２】
前記本物の制服の型紙データと前記ぬいぐるみ本体の体格の寸法比のデータとをコンピュータに入力し、このコンピュータの作用によって、前記ぬいぐるみ本体の体格の寸法比に基づいて前記本物の制服の型紙データを調製することにより前記ミニチュア制服の型紙するデータを出力することを特徴とする請求項１の卒業記念ぬいぐるみ。
【請求項３】
前記本物の制服の特徴を前記ぬいぐるみ本体の体格の寸法比に合わせて表現したことを特徴とする請求項１又は請求項２の卒業記念ぬいぐるみ。
【請求項４】
前記ミニチュア制服のスカートのプリーツ数は本物の制服のスカートのプリーツ数と同数であることを特徴とする請求項１，請求項２又は請求項３記載の卒業記念ぬいぐるみ。
【発明の詳細な説明】
【技術分野】
【０００１】
この発明は卒業記念ぬいぐるみに関し、長年慣れ親しんだ学生時代の制服を手軽に飾るために使用されるものである。
【背景技術】
【０００２】
従来におけるこの種の卒業記念ぬいぐるみとして、ぬいぐるみ本体にミニチュア制服
を着せ、このミニチュア制服を本物の制服と同じ生地で縫製し、本物の制服のボタン、
ライン、プリーツ等の特徴も忠実に再現したものが存在する。この卒業記念ぬいぐるみは、学校を卒業するにあたって、長年慣れ親しんだ制服をリアリティある状態で手軽に飾る手段として使用されている。
【０００３】
【特許文献１】特開平２００７−２５２８７７号公報
【発明の開示】
【発明が解決しようとする課題】
【０００４】
この発明の課題は、従来における制服のリアリティを更に向上させた卒業記念ぬいぐるみを提供することである。
【課題を解決するための手段】
【０００５】
前記課題を達成するために、発明者は鋭意研究の結果、この発明を完成させた。
【０００６】
この発明に係る卒業記念ぬいぐるみにおいては、ぬいぐるみ本体と、前記ぬいぐるみ本体に着せたミニチュア制服とを備え、前記ミニチュア制服は、本物の制服と同じ生地から成り、本物の制服のボタン、ライン、プリーツ等の特徴も忠実に再現された卒業記念ぬいぐるみにおいて、前記ミニチュア制服の寸法比を前記ぬいぐるみ本体の体格の寸法比に合わせたものである。
【０００７】
なお、前記本物の制服の型紙データと前記ぬいぐるみ本体の体格の寸法比のデータとをコンピュータに入力し、このコンピュータの作用によって、前記ぬいぐるみ本体の体格の寸法比に基づいて前記本物の制服の型紙データを調製することにより前記ミニチュア制服の型紙データを出力することもできる。
【０００８】
また、前記本物の制服の特徴を前記ぬいぐるみ本体の体格の寸法比に合わせて表現することもできる。
【０００９】
さらに、前記ミニチュア制服のスカートのプリーツ数は本物の制服のスカートのプリーツ数と同数にすることもできる。
【発明の効果】
【００１０】
この発明に係る卒業記念ぬいぐるみは上記のように構成されているため、即ち、ぬいぐるみ本体と、前記ぬいぐるみ本体に着せたミニチュア制服とを備え、前記ミニチュア制服は、本物の制服と同じ生地から成り、本物の制服のボタン、ライン、プリーツ等の特徴も忠実に再現された卒業記念ぬいぐるみにおいて、前記ミニチュア制服の寸法比を前記ぬいぐるみ本体の体格の寸法比に合わせたものであるため、体格の寸法比の異なる様々なぬいぐるみ本体に、リアリティあるミニチュア制服を違和感なく着せることができる。
【００１１】
よって、この卒業記念ぬいぐるみを使用すれば、学生時代の思い出として、長年慣れ親しんだ制服を、従来よりもよりリアリティな状態で手軽に飾ることができ、従来よりも優れた卒業記念品として提供することができる。
【００１２】
なお、前記本物の制服の型紙データと前記ぬいぐるみ本体の体格の寸法比のデータとをコンピュータに入力し、このコンピュータの作用によって、前記ぬいぐるみ本体の体格の寸法比に基づいて前記本物の制服の型紙データを調製することにより前記ミニチュア制服の型紙データを出力させれば、様々なぬいぐるみ本体に対して着た場合に違和感のないミニチュア制服を製造しやすいものである。
【００１３】
また、前記本物の制服の特徴を前記ぬいぐるみ本体の体格の寸法比に合わせて表現するようにすれば、前記ミニチュア制服が縮小されていても、本物の制服のリアリティを維持しやすいものである。
【００１４】
さらに、前記ミニチュア制服のスカートのプリーツ数を本物の制服のスカートのプリーツ数と同数にすれば、より一層、ぬいぐるみ本体にリアリティあるミニチュア制服を違和感なく着せることができるものである。
【発明を実施するための最良の形態】
【００１５】
この発明に係る「ぬいぐるみ本体」の体格の寸法比は、原則として、人間の体格の寸法比と異なるものであり、人、動物等いずれのぬいぐるみであってもかまわない。
【００１６】
「ミニチュア制服」の生地は本物の制服と同じ生地であり、同ボタンは本物の制服のボタンである。また、ライン数およびプリーツ数は、本物の制服のライン数およびスカートのプリーツ数と同数である。
【００１７】
「ぬいぐるみ本体の体格の寸法比」とは、「ぬいぐるみ本体」の肩幅、丈の長さ、胴回り、手の長さ、足の長さ等体格の寸法比のことである。
【００１８】
「本物の制服の型紙データ」とは、本物の制服を製造するにあたって既に存在する型紙のデータである。
【００１９】
本物の制服の特徴をぬいぐるみ本体の体格の寸法比に合わせて表現する場合とは、特に、「ミニチュア制服」として縮小された場合に、その特徴が目立たなくなる場合があるため、その部分を誇張して表現することである。
【実施例】
【００２０】
以下、この発明の実施例を図面に基づいて説明する。
【００２１】
図１はこの発明に係る卒業記念ぬいぐるみの斜視図、図２は図１におけるミニチュア制服の斜視図、図３はミニチュア制服の製造工程の流れ図である。
【００２２】
図１及び図２において、Ａは卒業記念ぬいぐるみ、１０はそのぬいぐるみ本体である。このぬいぐるみ本体１０の体格の寸法比は、原則として、人間の体格の寸法比と異なるものであり、実施例ではクマのぬいぐるみであるが、人、動物等いずれのぬいぐるみであってもかまわない。２０はミニチュア制服であり、前記ぬいぐるみ本体１０に着せられている。このミニチュア制服２０はその寸法比を前記ぬいぐるみ本体１０の体格の寸法比に合わせた状態で本物の制服を忠実に再現している。即ち、本物の制服の型紙データからデータ調製する際に前記ぬいぐるみ本体１０の体格の寸法比に合わせて調製する。この場合、本物の制服の特徴がミニチュア制服２０においても目立つように誇張して表現する場合もある。
【００２３】
なお、従来同様に、このミニチュア制服２０は本物の制服と同じ生地から作られ、本物の制服と同じボタン２１、本物の制服のスカートと同数のプリーツ２２、本物の制服と同じライン２３を有している。さらに、図示されていないが、ミニチュア制服２０のタグも本物の制服のものを使用している。これらのリアリティは、本物の制服を製作しているメーカーが製作することによって容易に実現することができる。なお、前記ぬいぐるみ本体１０の足裏には、卒業年を刻んだ足裏刺繍２４が施されている。
【００２４】
図３に基づいて、このミニチュア制服２の製造工程を説明する。
【００２５】
まず、本物の制服の型紙データをコンピュータに入力する。
【００２６】
ぬいぐるみ本体の体形に合わせてこのデータを調製する。
【００２７】
さらに、本物の制服の特徴に合わせてこのデータを調製し、ミニチュア制服の型紙データとして出力する。
【００２８】
このミニチュア制服の型紙データに基づいて、仮ミニチュア制服を製作する。
【００２９】
この仮ミニチュア制服を当該ぬいぐるみ本体に着せてフイットしているかどうかを判断する。
【００３０】
フイットしていない場合には再度ぬいぐるみ本体の体に合わせてこのデータを調製し、このルートをフイットしていると判断される場合まで繰り返す。  
【００３１】
フイットしている場合には本物の制服の特徴が表現されているかどうかを判断する。
【００３２】
特徴が表現されていない場合には再度本物の制服の特徴に合わせてこのデータを調製し、特徴が表現されていると判断される場合まで繰り返す。
【００３３】
特徴が表現されていると判断された場合にはそのデータに基づいてミニチュア制服を製作する。
【産業上の利用可能性】
【００３４】
この発明にかかる卒業記念ぬいぐるみは、学生時代の思い出として、長年慣れ親しんだ制服を、従来よりもよりリアリティな状態で手軽に飾ることができ、従来よりも優れた卒業記念品として提供することができる。よって、この発明の利用可能性は極めて高いものである。
【図面の簡単な説明】
【００３５】
【図１】図１はこの発明に係る卒業記念ぬいぐるみの斜視図である。
【図２】図２は図１におけるミニチュア制服の斜視図である。
【図３】図３はミニチュア制服の製造工程の流れ図である。
【符号の説明】
【００３６】
Ａ  …  卒業記念ぬいぐるみ
１０  …  ぬいぐるみ本体
２０  …  ミニチュア制服
２１  …  ボタン
２２  …  プリーツ
２３  …  ライン
２４  …  足裏刺繍  
【図１】
2012080924.tif 000003
【図２】
2012080924.tif 000004
【図３】
2012080924.tif 000005